(57)【要約】【課題】浴槽６から溢れる風呂水を、洗面・脱衣などの空間に溢れないようにする。【解決手段】浴室Ａの洗面空間Ｂとの境に沿って、風呂水が流れ落ちる排水グレーチング５を設ける。排水グレーチング５と浴槽との間に隙間があれば、防排水パン７を設けて水をグレーチング５に導く。洗面空間Ｂとの間を遮蔽可能なように、引き戸４を設ける。【選択図】図１
0003128655.tif 000002
【実用新案登録請求の範囲】
【請求項１】
浴槽に隣り合わせて洗面・脱衣若しくは居室空間を備える浴室の構造であって、
浴槽とその他の空間との境に沿って、浴槽から溢れた風呂水が流れ落ちる排水グレーチングを設けてなる浴室の構造。
【請求項２】
浴槽とその他の空間との境に沿って、引き戸を設け、浴槽とその他の空間を遮蔽可能にしてなる請求項１記載の浴室の構造。
【請求項３】
浴槽の周囲には、排水グレーチングとほぼ同じ高さの防排水パンを設けたことを特徴とする請求項１記載の浴室の構造。
【考案の詳細な説明】
【技術分野】
【０００１】
本考案は、ユニット形式の浴室にも採用される浴室の構造に関するものである。
【背景技術】
【０００２】
浴室の内部に浴槽を取付け、その浴槽にてお湯を溜め、その浴槽の隣には洗い場としての空間を設けた構造は一般的に知られている。体を温めるために浴槽のお湯の中に浸かり、洗い場はお湯を使って体を洗う空間として使用するものである。このような構造の浴室では、洗い場で体を洗うために、大量のお湯が流れる。その洗い場の排水は、例えば特開２０００−１７７０６に開示されているように、洗い場の一角に設けた排水口から流れ落とすのが通常である。
【０００３】
他方、浴室には、浴槽に隣り合わせて、洗面台やトイレ設備を設けた洗面や脱衣空間、或いは居室空間とする構造が存在する。このような構造では、ホテルの客室などの狭い空間に据え付けられるユニットバス形式の浴室で広く採用されている。このような、洗い場として使用するのではなく、洗面やトイレなどの空間として浴槽の隣が使用される場合は、浴槽側からお湯が溢れるのは好ましくない。床が水浸しになれば、洗面やトイレの使用時に、衣服が濡れるなどの支障が出るからである。したがって、浴槽内のお湯がその他の空間へ、出来る限り溢れないようにする工夫が必要である。
【０００４】
浴槽に溜めたお湯だけでなく、シャワーから出たお湯が洗面空間に溢れ出ることがあり、このシャワーからのお湯も、洗面空間の床を濡らす原因となっていた。このために、従来は、浴槽と洗面空間との間に、ビニールなど樹脂製のカーテンを吊るし、このカーテンを引いてシャワーを使用するような手段が採られていた。しかしながら、カーテンであると、どうしても浴槽との間に隙間が生じて、その隙間からお湯が洗面空間側へ飛び出てしまうことがあり、対策としては充分ではなかった。また、居室空間とオープンな形式の浴室であると、カーテンではプライバシーが守り難く、不具合であった。
【特許文献１】特開２００１−１７７０６号公報
【考案の開示】
【考案が解決しようとする課題】
【０００５】
本考案が解決しようとする課題は、浴槽側からお湯が洗面空間側へ溢れ、その床を濡らしてしまうことである。
【課題を解決するための手段】
【０００６】
本考案にかかる浴室の構造は、  浴槽に隣り合わせて洗面・脱衣或いは居室空間を備える浴室の構造において、
浴槽とその他の空間との境に沿って、浴槽から溢れた風呂水が流れ落ちる排水グレーチングを設けるものである。
また、浴槽とその他の空間との境に沿って、引き戸を設け、浴槽とその他の空間を遮蔽可能にすることも採用できる。
更には、浴槽の周囲には、排水グレーチングとほぼ同じ高さの防排水パンを設けたことも採用できる。
【考案の効果】
【０００７】
この考案にかかる浴室の構造によって、以下の効果を得ることができる。
＜ａ＞浴槽とその他の空間との境に沿って、浴槽から溢れた風呂水が流れ落ちる排水グレーチングを設けることによって、入浴時に風呂水が浴槽から溢れると、その水を排水グレーチングから確実に流れて、その他の空間に溢れ出ることがない。このことによって、その他の空間が濡れることが無くなり、洗面時やトイレ使用時、或るいは居室として不快な思いをしなくてよくなる。
＜ｂ＞浴槽とその他の空間との境に沿って、サッシなどの引き戸を設けることによって、これによって遮蔽すれば、シャワーなどの水もその他の空間に飛び出ることがなくなり、やはり、洗面時に衣服を濡らすことがなくなる。
＜ｃ＞浴槽が円形や楕円形などの形状のときは、浴槽とその他の空間との境との間の隙間を埋めるために、排水グレーチングとほぼ同じ高さの防排水パンを設けることによって、風呂水を排水グレーチングの方へ導いて排水することができる。
＜ｄ＞浴室に引き戸を設けることにより、浴室と居室空間がオープンな形式の浴室であっても、プライバシーを守ることができる。この場合は、引き戸にはスリガラスのような板を採用することが望ましい。
【考案を実施するための最良の形態】
【０００８】
＜１＞浴室
図においてＡは浴室であって、その浴室Ａに隣り合わせては、洗面空間Ｂが設けられている。のふたつの空間に仕切られている。実施例では、洗面空間Ｃは、居室空間と床続きであって、壁や仕切りの無いオープンな空間形式となっているが、居室空間と壁によって仕切り、ドアを設け、そのドアを開閉して入室するようにしてもよい。
【０００９】
＜２＞仕切り
浴室Ａと洗面空間Ｂとの境には、腰板１とその上の枠２と、枠２の上をスライドするガラス板３がはめ込まれた引き戸４が配され、引き戸４を引くことによって、ふたつの空間が遮蔽可能となっている。
【００１０】
＜３＞排水クレーチング
枠２に沿って、複数の孔が開口された排水グレーチング５が設置されている。排水グレーチング５は、枠２に沿って取付けられた枠体であって、開けられた孔から下に風呂水を落とし、排水可能となっている。したがって、排水グレーチング５は、浴槽６の天端近くであって、天端よりは低く位置させることが必要である。排水グレーチング５の下であって、バスタブの外側には、木炭などを詰めて、汚れや臭いを吸収するようにしてもよい。排水グレーチング５は、図では浴室Ａと洗面空間Ｂとの境全長に設けているが、孔を開口するのは、その一部だけとしてもよい。
【００１１】
＜４＞浴槽
浴槽６は、その天板部分１１は四角形であるが、天板１１の中心にあるお湯を溜めるバスタブ１２部分が楕円形状に近い形状を成しており、実施例では合成樹脂製の浴槽６が使用されている。浴槽６の周囲であって、洗面空間Ｂとの境界以外の３辺には、排水グレーチング５との間には、溝状の防排水パン７が設けられている。この防排水パン７によって、浴槽６のバスタブ部分から溢れた水が、排水グレーチング５へ流れるよう導かれる。したがって、防排水パン７は、排水グレーチング５とほぼ同じ高さか、若干高い位置にあることが望ましい。
【００１２】
＜５＞洗面設備
洗面空間Ｂには、壁に沿ってシンク８や鏡９などの洗面設備が設けられている。この洗面空間Ｂには、トイレ設備を設置することもある。
【図面の簡単な説明】
【００１３】
【図１】考案を実施した浴室の斜視図である。
【図２】浴室の平面図である。
【図３】防排水パンと浴槽の繋ぎ部分の断面図である。
【符号の説明】
【００１４】
Ａ  浴室
Ｂ  洗面空間
１  腰板
２  枠
３  ガラス板
４  引き戸
５  排水グレーチング
６  浴槽
７  防排水パン
８  シンク
９  鏡
１０  ドア
１１  天板
１２  バスタブ
【図１】
0003128655.tif 000003
【図２】
0003128655.tif 000004
【図３】
0003128655.tif 000005